(57)【要約】【課題】従来の薬液混合撒布装置よりも、簡単且つ容易に例えば１０００倍以上に希釈された希釈薬液を撒布することが出来る薬液混合撒布装置を提供する。  【解決手段】圧送ポンプと、水を貯留する水貯留部と前記圧送ポンプの吸込側とを連通する吸水路と、薬液を貯留する薬液貯留部と吸水路の途中とを連通する薬液供給路と、圧送ポンプ１の吐出側に連通した撒布路とが備えられ、前記薬液供給路には、薬液貯留部の薬液を前記吸水路に強制的に供給するための薬液供給ポンプが設けられ、また前記吸水路に水が流れているか否かを検出するための流動検出器と、前記薬液供給ポンプの駆動を制御するコントローラが備えられ、このコントローラは、前記流動検出器が水の流れを検知するに伴い、薬液供給ポンプを駆動して、薬液を所定量強制的に吸水路に供給し、水の流れを検知しなくなった時には、薬液供給ポンプを停止して、吸水路への薬液の供給を中止するように制御するようにした。【選択図】図１
2008125433.tif 000002
【特許請求の範囲】
【請求項１】
圧送ポンプと、水を貯留する水貯留部と前記圧送ポンプの吸込側とを連通する吸水路と、薬液を貯留する薬液貯留部と吸水路の途中とを連通する薬液供給路と、圧送ポンプ１の吐出側に連通した撒布路とが備えられ、前記薬液供給路には、薬液貯留部の薬液を前記吸水路に強制的に供給するための薬液供給ポンプが設けられ、薬液供給ポンプにより供給される薬液を吸水路により送られてくる水に混合させて所期の濃度に希釈し、この希釈薬液を散布路を介して散布するようにしたことを特徴とする薬液混合撒布装置。
【請求項２】
前記吸水路に水が流れているか否かを検出するための流動検出器が設けられると共に、前記薬液供給ポンプの駆動を制御するコントローラが備えられ、このコントローラは、前記流動検出器が水の流れを検知するに伴い、前記薬液供給ポンプを駆動して、薬液を所定量強制的に前記吸水路に供給し、水の流れを検知しなくなった時には、前記薬液供給ポンプを停止して、前記吸水路への薬液の供給を中止するように制御していることを特徴とする請求項１に記載の薬液混合撒布装置。
【請求項３】
前記吸水路を流れる流量を検出する第１流量検出器と、薬液供給路３を流れる薬液の流量を検出する第２流量検出器が設けられると共に、前記薬液供給ポンプの駆動を制御するコントローラが設けられ、このコントローラは、前記第１流量検出器が検知した水の流量に基づいて所望の希釈倍率となる薬液の流量が第２流量検出器で検出されるように薬液供給ポンプの駆動を制御して、前記薬液供給ポンプによる薬液の供給量をコントロールするようにしていることを特徴とする請求項１に記載の薬液混合撒布装置。
【請求項４】
前記撒布路の先端部にこの撒布路を開閉するための開閉手段が設けられると共に、前記撒布路と前記吸水路とを連絡する還流路が設けられ、この還流路と前記撒布路との接続部には、前記撒布路内の流体が所定以下の圧力である時には前記撒布路から前記還流路への流れを阻止し、前記撒布路内の流体が所定以上の圧力となった時に前記撒布路から前記還流路への流れを許容する流路切り替え器が設けられていることを特徴とする請求項１、２または３に記載の薬液混合撒布装置。
【発明の詳細な説明】
【技術分野】
【０００１】
本発明は、薬剤を水溶液に混合すると共に、混合された薬液を畑などの土壌に撒布するための薬液混合撒布装置に関する。
【背景技術】
【０００２】
一般にこの種の薬液混合撒布装置は、圧送ポンプと、この圧送ポンプの吸込口に連通した合流部と、この合流部と薬液タンクとを連通する薬液供給路と、合流部と水タンクとを連通する吸水路と、圧送ポンプの吐出口に連通した散布路とを備えている。
【０００３】
また散布路の先端には開閉コックを介してノズルが設けられており、吸水路には第１オリフィスが、薬液供給路には第２オリフィスが、それぞれ介装されている。
【０００４】
第１オリフィスのオリフィス径と第２オリフィスのオリフィス径とは、薬液と水との所期の混合比率即ち希釈倍数に応じて設定されている。
【０００５】
以上の薬液混合撒布装置にあっては、圧送ポンプを起動するとともに開閉コックを開くと、圧送ポンプの吸込側に生じる負圧により、薬液供給路からは薬液が、吸水路からは水タンクに貯留されている水がそれぞれ吸い上げられて合流部で混合されるのであって、この際、薬液と水とは、第１オリフィスのオリフィス径と第２オリフィスのオリフィス径とにより設定された混合比率で混合されるのである。そして希釈された希釈薬液は、散布路を経てノズルから畑地等に散布される。
【０００６】
ところで以上の薬液混合撒布装置では、希釈薬液の希釈率は、前記したように、吸水路と薬液供給路に設けられた両オリフィスのオリフィス径の相違により決定されるものであるが、希釈率を例えば１０００倍以上にすべく、薬液供給路側の第２オリフィスのオリフィス径を小径にしようとしても自ずと限度があり、即ち、あまりオリフィス径を小さくすると、いわゆる目詰まりが生じ易く、現実的には、オリフィス径の調整だけでは、数百倍程度の希釈率の希釈薬液を撒布するのが精一杯で、従って薬剤を原液のまま利用すると、例えば１０００倍に希釈された希釈薬液を得ることは困難である。
【０００７】
そのため、以上の薬液撒布装置により、１０００倍から２０００倍程度に希釈した薬液を作成して撒布しようとする場合には、例えば１０倍程度に希釈した薬液を用意して、この薬液を水溶液に随時混入させることで、例えば１０００倍に希釈された所望の希釈薬液を撒布するようにしているのが現状である。
【０００８】
従って以上の薬液混合撒布装置では、例えば１０倍程度に希釈した薬液を事前に作っておく必要があり、撒布の作業性が悪いばかりか、撒布する希釈薬液の希釈率の管理もそれだけ手間がかかり、ともすると間違った希釈率の希釈薬液を撒布する事態も招きかねない。
【０００９】
また前記した従来の薬液混合撒布装置では、撒布作業の途中で撒布する希釈薬液の希釈倍率を変更することも難しい。
【特許文献１】特開平１１−７６９０６
【発明の開示】
【発明が解決しようとする課題】
【００１０】
本発明は以上の実情に鑑みて開発したものであって、目的とするところは、薬液を原液のまま利用して、前記した従来の薬液混合撒布装置よりも簡単且つ容易に例えば１０００倍以上に希釈された希釈薬液を撒布することが出来、更には希釈率を容易に変更することも可能な薬液混合撒布装置を提供することにある。
【課題を解決するための手段】
【００１１】
以上の目的を達成するため、請求項１に記載の発明は、圧送ポンプと、水を貯留する水貯留部と前記圧送ポンプの吸込側とを連通する吸水路と、薬液を貯留する薬液貯留部と吸水路の途中とを連通する薬液供給路と、圧送ポンプ１の吐出側に連通した撒布路とが備えられ、前記薬液供給路には、薬液貯留部の薬液を前記吸水路に強制的に供給するための薬液供給ポンプが設けられ、薬液供給ポンプにより供給される薬液を吸水路により送られてくる水に混合させて所期の濃度に希釈し、この希釈薬液を散布路を介して散布するようにしたことを特徴とするものである。
【００１２】
また請求項２に記載の発明は、請求項１に記載の薬液混合撒布装置において、前記吸水路に水が流れているか否かを検出するための流動検出器が設けられると共に、前記薬液供給ポンプの駆動を制御するコントローラが備えられ、このコントローラは、前記流動検出器が水の流れを検知するに伴い、薬液供給ポンプを駆動して、薬液を所定量強制的に吸水路に供給し、水の流れを検知しなくなった時には、薬液供給ポンプを停止して、吸水路への薬液の供給を中止するように制御していることを特徴とするものである。
【００１３】
また請求項３に記載の発明は、請求項１に記載の薬液混合撒布装置において、前記吸水路を流れる流量を検出する第１流量検出器と、薬液供給路３を流れる薬液の流量を検出する第２流量検出器が設けられると共に、前記薬液供給ポンプの駆動を制御するコントローラが設けられ、このコントローラは、前記第１流量検出器が検知した水の流量に基づいて所望の希釈倍率となる薬液の流量が第２流量検出器で検出されるように薬液供給ポンプの駆動を制御して、前記薬液供給ポンプによる薬液の供給量をコントロールするようにしていることを特徴とするものである。
【００１４】
更に請求項４に記載の発明は、請求項１、２または３に記載の薬液混合撒布装置において、前記撒布路の先端部にこの撒布路を開閉するための開閉手段が設けられると共に、前記撒布路と吸水路とを連絡する還流路が設けられ、この還流路と前記撒布路との接続部には、前記撒布路内の流体が所定以下の圧力である時には前記撒布路から前記還流路への流れを阻止し、前記撒布路内の流体が所定以上の圧力となった時に前記撒布路から前記還流路への流れを許容する流路切り替え器が設けられていることを特徴とするものである。
【発明の効果】
【００１５】
請求項１に記載の発明によれば、薬液供給ポンプにより所定量の薬液を強制的に吸水路に供給するようにしているので、薬液を原液のまま利用することが可能となり、従って、従来のいわゆる負圧式の薬液混合撒布装置よりも、簡単且つ容易に例えば１０００倍以上に希釈された希釈薬液を撒布することが出来る。
【００１６】
また請求項２に記載の発明によれば、請求項１に記載の発明の効果に加え、薬液の希釈倍率が不用意に変動するのを抑制することが出来るので、所望の希釈倍率の薬液を安定よく撒布することが出来るし、またコントローラに予め複数種類の希釈倍率を設定しておくことにより、作業者が撒布作業に際して所望の希釈率を選択することが出来る。
【００１７】
また請求項３に記載の発明によれば、請求項１に記載の発明の効果に加え、薬液の希釈倍率が不用意に変動するのを抑制することが出来るので、所望の希釈倍率の薬液を安定よくしかも精度よく撒布することが出来るし、またコントローラに予め複数種類の希釈倍率を設定しておくことにより、作業者が撒布作業に際して所望の希釈率を選択することが出来る。
【００１８】
更に請求項４に記載の発明によれば、請求項１、２または３に記載の発明の効果に加え、撒布路の先端部に設けた開閉手段を操作するだけで、薬液の撒布をコントロールすることが出来るので、撒布の作業性がより一層向上する。
【発明を実施するための最良の形態】
【００１９】
図１は、畑などに薬液を撒布するのに用いる薬液混合撒布装置の一例を示す構成図である。
【００２０】
この薬液混合撒布装置は、作業用トラックの荷台に搭載されて、薬液撒布の目的地において設置されて用いるいわゆる定置式のものであって、基本的には、
圧送ポンプ１、
この圧送ポンプ１の吸込側と水の貯留部としての水タンク２０とを連通する吸水路２、
薬液を貯留する薬液タンク３０と吸水路２の途中とを連通する薬液供給路３、
圧送ポンプ１の吐出側に連通した撒布路４、
及び撒布路４の途中と吸水路２における薬液供給路３との接続部よりも下流側とを連絡する還流路５が備えられている。
【００２１】
圧送ポンプ１は、作業用トラックに搭載されている原動機により駆動するようにしている。
【００２２】
撒布路４と還流路５の連結部には、撒布路４内の流体が所定以下の圧力である時には撒布路４から還流路への流れを阻止し、撒布路４内の流体が所定以上の圧力となった時に    撒布路４から還流路への流れを許容する流路切り替え器としてのアンローダー弁５０が介装されている。
【００２３】
撒布路４は、基本的には合成ゴム製のホースから構成され、この撒布路４の先端部には、概撒布路４を開閉するための開閉手段としての開閉コック４１と、薬液を主として霧状に撒布させるためのノズル４２が設けられている。
【００２４】
そして以上の薬液混合撒布装置において、図１に示す実施形態では、吸水路２における薬液供給路３との接続部よりも上流側には、その部位において水が流れているか否かを検出するための流動検出器６と、吸水路２内における水タンク２０から圧送ポンプ１方向への水の流れを許容し、水タンク２０から圧送ポンプ１から水タンク２０方向への水の流れを阻止する逆止弁６０が設けられている。
【００２５】
また薬液供給路３の途中には、薬液タンク３０内の薬液を吸水路２に強制的に供給するためのモーター駆動式の薬液供給ポンプ７が設けられており、この薬液供給ポンプ７の駆動は、マイクロコンピュータが搭載されたコントローラ７０により制御するようにしている。
【００２６】
この薬液供給ポンプ７として、少量の流量を正確に送ることが出来る流量精度に優れているチューブポンプが用いられており、トラックに搭載された車両バッテリー７１をその動力源としている。
【００２７】
またコントローラ７０は、流動検出器６からの出力信号に基づいて、薬液供給ポンプ７の駆動を制御するようにしているのであって、具体的には、流動検出器６が水の流れを検知するに伴い、薬液供給ポンプ７を駆動して、薬液を所定量強制的に吸水路２に送り込む一方、水の流れを検知しなくなった時には、薬液供給ポンプ７を停止して、吸水路２への薬液の供給を中止するようにしている。
【００２８】
またコントローラ７０は、複数の希釈倍率（例えば１０００倍と１２００倍と１５００倍などの希釈倍率）の希釈薬液が得られるように、薬液供給ポンプ７の流量を変更できるようにして、オペレータが選択した希釈倍率が得られる量の薬液を吸水路２に送り出すようにしている。
【００２９】
以上の構成からなる薬液混合撒布装置では、コントローラ７０の電源をオンにして、例えば希釈倍率１０００倍の希釈薬液が得られるように、コントローラ７０を設定した上で、圧送ポンプ１を駆動し、続いて撒布路４の開閉コック４１を開くと、圧送ポンプ１を介して水タンク２０内の水が吸水路２を流れ、これに伴い、流動検出器６が水の流れを検知すると、薬液供給ポンプ７が駆動して、薬液タンク３０内の薬液が強制的に吸水路２に送り込まれて、吸水路２内を流れる水と混合され、１０００倍に希釈された希釈液が撒布路４を介してノズル４２から撒布されることとなる。
【００３０】
一方、希釈薬液の撒布をいったん中断すべく、開閉コック４１を閉じると、圧送ポンプ１の吐出圧力が上昇して、アンローダー弁５０が開動作し、それまで遮断されていた還流路５が撒布路４に連通するので、撒布路４内の希釈薬液は、還流路５を経て吸水路２に戻された後、再び圧送ポンプ１に吸い込まれるのであって、こうして希釈薬液は、圧送ポンプ１，撒布路４、還流路５及び吸水路２の下流域からなる閉回路を循環する。
【００３１】
これにより、吸水タンク２０内の水が吸水路２に送り込まれなくなることから、流動検出器６が水の流れを検知しなくなって、薬液供給ポンプ７がコントローラ７０の制御により停止して、吸水路２への薬液の供給が中止されるのである。
【００３２】
従って、還流路５を循環中の希釈薬液に薬液が不用意に混入して薬液の希釈率が変わってしまうような不具合は生じない。
【００３３】
次に図２に示す薬液混合撒布装置の別の実施形態を説明する。
【００３４】
尚、図２に示す薬液混合撒布装置は、図１に示す薬液混合撒布装置とは基本構成を同一にすることから、異なる構成部分のみを次に説明する。
【００３５】
即ち、動力源により駆動される圧送ポンプ１は、駆動時、動力源の駆動変動に伴いポンプの吐出量も変動することから、薬液の希釈倍率を精度よく保つことが困難である。
【００３６】
そこで図２に示す薬液混合撒布装置では、薬液の希釈倍率の精度をより一層高めるために、吸水路２の途中に設けた流動検出器６に替えて、吸水路２を流れる流量を検出するための第１流量検出器８ａが吸水路２の途中に設けられると共に、薬液供給路３の途中にもこの薬液供給路３を流れる薬液の流量を検出するための第２流量検出器８ｂが設けられている。
【００３７】
尚、図２では、第２流量検出器８ｂが薬液供給路３における薬液供給ポンプ７よりも下流側に設けられているが、薬液供給ポンプ７よりも上流側に設けてもよい。
【００３８】
そして薬液供給ポンプ７の駆動を制御するコントローラ７０は、前記した第１流量検出器８ａ及び第２流量検出器８ｂからの出力信号により、第１流量検出器８ａが検出する水の流量に基づいて、例えば１０００倍に希釈される希釈薬液とすることが出来る薬液の流量が第２流量検出器で検出されるように薬液供給ポンプ７の駆動電圧を随時制御して、前記薬液供給ポンプ７による薬液の供給量をコントロールするようにしている。
【００３９】
斯くして図２に示す薬液混合撒布装置では、コントローラ７０の電源をオンにして、例えば希釈倍率１０００倍の希釈薬液が得られるように、コントローラ７０を設定した上で、圧送ポンプ１を駆動し、続いて撒布路４の開閉コック４１を開くと、圧送ポンプ１を介して水タンク２０内の水が吸水路２を流れる。
【００４０】
これに伴い、第１流量検出器８ａが水の流れを検知すると、薬液供給ポンプ７が駆動して、薬液タンク３０内の薬液が強制的に吸水路２に供給されるのであるが、薬液供給ポンプ７の駆動を制御するコントローラ７０は、第１流量検出器８ａ及び第２流量検出器８ｂからの出力信号により、第１流量検出器８ａが検出する水の流量に基づいて、例えば１０００倍に希釈される希釈薬液とすることが出来る薬液の流量が第２流量検出器で検出されるように薬液供給ポンプ７の駆動電圧を随時制御して、前記薬液供給ポンプ７による薬液の供給量を随時コントロールするので、たとえば、圧送ポンプ１の駆動時、動力源の駆動変動に伴い圧送ポンプ１の吐出量が変動するようなことがあっても、薬液の希釈倍率を精度よく保つことが出来る。
【００４１】
一方、希釈薬液の撒布をいったん中断すべく開閉コック４１を閉じると、圧送ポンプ１の吐出圧力が上昇して、アンローダー弁５０が開動作し、それまで遮断されていた還流路５が撒布路４に連通するので、撒布路４内の希釈薬液は、還流路５を経て吸水路５に戻された後、再び圧送ポンプ１に吸い込まれるのであって、こうして希釈薬液は、圧送ポンプ１，撒布路４、還流路５及び吸水路２の下流域からなる閉回路を循環する。
【００４２】
これにより、水タンク２０内の水が吸水路２に送り込まれなくなることから、第１流量検出器８ａが水の流れを検知しなくなって、薬液供給ポンプ７がコントローラ７０の制御により停止して、吸水路２への薬液の供給も中断される。
【００４３】
図１及び図２に示す以上の各実施形態では、水タンク２０内に予め水を貯留して、この水タンク２０内の水を吸水路２に順次送るようにしたが、図３に示すように、水タンク２０に加え、例えば水田等にはられた水を汲み上げる汲み上げ路としての汲み上げ用ホース２１と汲み上げポンプ２２を設けて、この汲み上げ用ホース２１と汲み上げポンプ２２とにより、水タンク２０に水を任意汲み上げるようにしてもよい。
【００４４】
そして、以上の構成を採用することにより、例えば水田にはられている水や農水路を流れる水を有効利用することが出来、水タンク２０の小型化が可能となる。
【図面の簡単な説明】
【００４５】
【図１】本発明にかかる薬液混合撒布装置の一実施形態を示す説明図。
【図２】本発明にかかる薬液混合撒布装置の別の実施形態を示す説明図。
【図３】本発明にかかる薬液混合撒布装置の別の実施形態を示す要部の説明図。
【符号の説明】
【００４６】
１      圧送ポンプ
２      吸水路
２０    水タンク（水貯留部）
３      薬液供給路
３０    薬液タンク（薬液貯留部）
４      撒布路
４１    開閉コック
４２    ノズル
５      還流路
５０    アンローダー弁（流路切り替え器）
６      流動検出器
７      薬液供給ポンプ
７０    コントローラ
８ａ    第１流量検出器
８ｂ    第２流量検出器
【図１】
2008125433.tif 000003
【図２】
2008125433.tif 000004
【図３】
2008125433.tif 000005